(57)【要約】【課題】繊維補強セメントボードの表面の模様の形状の精度を確保し、意匠性を確保する。【解決手段】建築用の繊維補強セメントボード１０は、片面にタイル１２と目地１４との凹凸の模様が形成され、型枠を用いて成型されている。この繊維補強セメントボード１０は、支柱２０に支持された上枠３０と下枠４０との間に差し込まれている。また、繊維補強セメントボード１０の模様面は建築用仕上塗材で仕上げられている。【選択図】図１
2014189988.tif 000002
【特許請求の範囲】
【請求項１】
少なくとも片面に凹凸の模様が形成され、型枠を用いて成型された建築用の繊維補強セメントボード。
【請求項２】
前記模様が形成された面は、建築用仕上塗材で仕上げられている請求項１に記載の建築用の繊維補強セメントボード。
【請求項３】
少なくとも片面に凹凸の模様が形成されるように、型枠を用いて成型する建築用の繊維補強セメントボードの製造方法。
【請求項４】
前記模様が形成された面を、建築用仕上塗材で仕上げる請求項３に記載の建築用の繊維補強セメントボードの製造方法。
【請求項５】
少なくとも片面に模様が形成され、型枠を用いて成型された建築用の繊維補強セメントボードが、手摺枠に嵌め込まれた手摺壁。
【請求項６】
少なくとも片面に凹凸の模様が形成されるように、型枠を用いて建築用の繊維補強セメントボードを成型し、該建築用の繊維補強セメントボードを手摺枠に嵌め込む手摺壁の製造方法。
【発明の詳細な説明】
【技術分野】
【０００１】
本発明は、繊維補強セメントボード、繊維補強セメントボードの製造方法、手摺壁、及び手摺壁の製造方法に関する。
【背景技術】
【０００２】
外装化粧材等の建築物用役物に、押出成形により作製した繊維補強セメントボードを用いることが知られている（例えば、特許文献１参照）。また、軽量の繊維補強セメントボードを押出成形により作製する方法が知られている（例えば、特許文献２参照）。
【先行技術文献】
【特許文献】
【０００３】
【特許文献１】特許第４４５１５９０号公報
【特許文献２】特許第４０９７４９５号公報
【発明の概要】
【発明が解決しようとする課題】
【０００４】
押出成形により繊維補強セメントボードを作製する場合、押出成形体が１０％程度伸縮する。そのため、繊維補強セメントボードの表面にタイル等の凹凸の模様をつける場合、繊維補強セメントボードの寸法が大きくなるほど、模様の形状の精度を確保し難くなり、意匠性を確保し難くなる。
【０００５】
本発明は、上記事情に鑑みてなされたものであり、繊維補強セメントボードの表面の模様の形状の精度を確保し、意匠性を確保することを課題にするものである。
【課題を解決するための手段】
【０００６】
上記課題を解決するために、本発明に係る建築用の繊維補強セメントボードは、少なくとも片面に凹凸の模様が形成され、型枠を用いて成型されたことを特徴とする。
【０００７】
前記建築用の繊維補強セメントボードにおいて、前記模様が形成された面は、建築用仕上塗材で仕上げられてもよい。
【０００８】
また、本発明に係る建築用の繊維補強セメントボードの製造方法は、少なくとも片面に凹凸の模様が形成されるように、型枠を用いて成型することを特徴とする。
【０００９】
前記建築用の繊維補強セメントボードの製造方法において、前記模様が形成された面を、建築用仕上塗材で仕上げてもよい。
【００１０】
また、本発明に係る手摺壁は、少なくとも片面に模様が形成され、型枠を用いて成型された建築用の繊維補強セメントボードが、手摺枠に嵌め込まれたことを特徴とする。
【００１１】
また、本発明に係る手摺壁の製造方法は、少なくとも片面に凹凸の模様が形成されるように、型枠を用いて建築用の繊維補強セメントボードを成型し、該建築用の繊維補強セメントボードを手摺枠に嵌め込むことを特徴とする。
【発明の効果】
【００１２】
本発明によれば、繊維補強セメントボードの表面の模様の形状の精度を確保し、意匠性を確保することができる。
【図面の簡単な説明】
【００１３】
【図１】一実施形態に係る繊維補強セメントボードの使用例を示す立面図である。
【図２】図１の２−２断面図（立断面図）である。
【図３】図１の３−３断面図（平面断面図）である。
【図４】繊維補強セメントボードを表面側から示す斜視図である。
【図５】繊維補強セメントボードを裏面側から示す斜視図である。
【図６】繊維補強セメントボードを製造する手順を示す図である。
【図７】繊維補強セメントボードを製造する手順を示す図である。
【図８】繊維補強セメントボードを製造する手順を示す図である。
【図９】繊維補強セメントボードを製造する手順を示す図である。
【発明を実施するための形態】
【００１４】
以下、本発明の一実施形態を、図面を参照しながら説明する。図１は、一実施形態に係る繊維補強セメントボード１０の使用例を示す立面図であり、図２は、図１の２−２断面図（立断面図）であり、図３は、図１の３−３断面図（平面断面図）である。これらの図に示すように、本実施形態に係る繊維補強セメントボード１０は、マンションのバルコニー１の手摺壁に用いられる。
【００１５】
バルコニー１は、マンションの躯体に片持ち式で支持されており、その奥行は２ｍ程度と広くなっている。バルコニー１の先端には、左右の支柱２０と、左右の支柱２０に支持された上枠３０及び下枠４０とを備えており、上枠３０と下枠４０との間に、繊維補強セメントボード１０が嵌め込まれている。
【００１６】
左右の支柱２０の上部には笠木３２の両端が取り付けられている。この笠木３２は、左右の支柱２０から前方へ張り出しており、その先端に上枠３０が設けられている。また、左右の支柱２０の下部は、バルコニー１の先端に埋設されており、左右の支柱２０の埋設部の上側には、ブラケット４２が取り付けられている。このブラケット４２は、左右の支柱２０から前方へ張り出しており、下枠４０が取り付けられている。
【００１７】
上枠３０の下部及び下枠４０の上部には、夫々、繊維補強セメントボード１０の上端又は下端を差し込むためのスリット３０Ｓ、４０Ｓが形成されている。また、笠木３２の両端は、樹脂キャップ３４が取り付けられることで塞がれ、下枠４０の両端は、樹脂キャップ４４が取り付けられることで塞がれている。なお、手摺壁のフレームは、既製品であっても、専用で作製したものであってもよい。
【００１８】
図４は、繊維補強セメントボード１０を表面側から示す斜視図であり、図５は、繊維補強セメントボード１０を裏面側から示す斜視図である。図１、図２及び図４に示すように、繊維補強セメントボード１０の表面には、横長のタイル１２が縦横に並び、縦横のタイル１２が凹状の目地１４で仕切られ、さらにタイル１２の表面に意匠性の向上を目的とした凹凸がある模様が形成されている。また、タイル１２の部分の表面は、建築用（外装用）仕上げ塗材で仕上げられている。なお、タイル１２は、繊維補強セメントボード１０の上端１７及び下端１８には形成されておらず、上端１７及び下端１８は、タイル１２の部分に対して凹んでいる。
【００１９】
また、図２及び図５に示すように、繊維補強セメントボード１０の裏面には、縦方向に延びる複数のリブ１６が横方向に所定間隔で形成されている。各リブ１６は、底部側から頂部側へかけて幅が狭くなるテーパー形状に形成されている。また、リブ１６は、繊維補強セメントボード１０の上端１７及び下端１８には形成されておらず、この上端１７及び下端１８が、上枠３０又は下枠４０に差し込まれる。
【００２０】
繊維補強セメントボード１０は、１枚で１つの手摺壁を構成しており、高さは手摺壁の高さと同等（例えば、１０００〜１２００ｍｍ程度）であり、幅は手摺壁の幅と同等（例えば、１０００〜１２００ｍｍ程度）である。また、繊維補強セメントボード１０の上端１７及び下端１８が最も薄くなっており、その厚みは、上枠３０のスリット３０Ｓ又は下枠４０のスリット４０Ｓの幅より小さく、例えば、約１５ｍｍである。また、リブ１６の高さ及び幅は、例えば、約２５ｍｍ、約１５ｍｍであり、リブ１６のピッチは、例えば約４０ｍｍである。
【００２１】
以下、繊維補強セメントボード１０の製造方法について説明する。図６〜図９は、その手順を示す図である。これらの図に示すように、型枠５０内に補強繊維を配合した水硬性セメントを流し込み、硬化後に脱型することにより繊維補強セメントボード１０を作製する。
【００２２】
図６及び図７に示すように、型枠５０は、左右に分割される一対のゴム製の型５１、５２を備えている。型５１は、繊維補強セメントボード１０の表面側を成型し、型５２は、繊維補強セメントボード１０の裏面側を成型する。型５１には、目地１４を形成するための縦横の格子状の凸部５１Ａが形成され、型５２には、リブ１６を形成するためのテーパ状の凹凸形状が形成されている。型５２の凸部５２Ａは縦方向に延びている。ここで、型５１の上端５１Ｂ及び下端５１Ｃは、平坦に凸部５１Ａと同じ厚みで形成され、型５２の周囲の枠部５２Ｄは平坦に凸部５２Ａと同じ厚みで形成されており、型５１、５２の上端５１Ｂ、５２Ｂ及び下端５１Ｃ、５２Ｃが、繊維補強セメントボード１０の上端１７又は下端１８を成型する。
【００２３】
図８に示すように、左右の型５１、５２を対向させた状態で、これらの間に補強繊維を配合した水硬性セメントを流し込んで養生する。ここで、繊維補強水硬性セメントのセメントマトリックスや繊維の組成、あるいは繊維の長さや体積混入率等は、上記特許文献１、２に記載のものと同様でよく、要求される強度やじん性に応じて適宜設定すればよい。例えば、セメントマトリックスは、水硬性セメントの他に、シリカ質原料、パルプ及び水溶性セルロース等を含んでもよい。また、水硬性セメントは、ポルトランドセメント、高炉セメント及びシリカセメント等の様々なものから選択すればよい。
【００２４】
繊維は、ポリビニルアルコール系繊維（ＰＶＡ繊維）、ポリプロピレン系繊維（ＰＰ繊維）、ポリエチレン系繊維（ＰＥ繊維）、アラミド繊維、及びガラス繊維等の様々なものから選択すればよい。そして、繊維長、繊維径、アスペクト比は、選択した繊維の種類に応じて適宜選択すればよい。また、成形体における繊維の体積混入率は、繊維とセメントとの一体性が阻害されることがなく、また、硬化後の成形体が架橋作用を発揮できるように設定すればよい。
【００２５】
また、養生工程では、型枠５０内の繊維補強水硬性セメントを自然硬化させてもよく、オートクレープ養生により型枠５０内の繊維補強水硬性セメントの硬化を促進してもよい。
【００２６】
そして、養生工程の終了後、図９に示すように、脱型して成型品１１を得る。得られた成型品１１の一方の面には、横長のタイル１２が縦横に並び、縦横のタイル１２が凹状の目地１４で仕切られ、さらにタイル１２の表面に意匠性の向上を目的とした凹凸がある模様が形成され、他方の面には、複数のリブ１６が横方向に所定間隔で形成される。
【００２７】
次に、成型品１１の模様面に、建築用仕上塗材を吹付けし又はローラーで塗布する。この際、タイル１２の部分と目地１４の部分とを塗り分けるが、タイル１２の部分は茶色等の有色、目地１４の部分は無色又は白色とする。建築用仕上塗材としては、意匠性、耐候性、耐水性、弾性等を確保できるものであればよい。例えば、アクリルゴム系防水形復層塗材（エスケー化研株式会社製の商品名レナフレンド等）、高弾性アクリルゴム系壁面防水化粧材（エスケー化研株式会社製の商品名レナエクセレント，レナエクセレントＡ等）、反応硬化形高弾性透湿壁面防水化粧材（エスケー化研株式会社製の商品名ダンツーキャスト等）、透湿弾性吹付タイル（エスケー化研株式会社製の商品名ダンツークリーン、ダンツーコート等）、多彩陶石砂壁調吹付仕上材（山本窯業化工株式会社製の商品名セラスキン／アクリルタイプ等）、微弾性シリコン多彩陶石砂壁吹付仕上材（山本窯業化工株式会社製の商品名グッセラ・Ｇスキン／微弾性シリコンタイプ等）が挙げられる。
【００２８】
以上説明したように、本実施形態に係る繊維補強セメントボード１０は、型枠５０を用いて成型されている。これによって、押出成型によって成型する場合に比して、成型中の伸縮を低減して表面のタイル１２や目地１４の形状の精度を向上することができ、意匠性を向上させることができる。また、繊維補強セメントボード１０を、型枠５０を用いて成型することによって、表面のタイル１２や目地１４の形状の精度が高く、意匠性が高い成型品を、高い歩留まりで作製することができる。
【００２９】
また、繊維補強セメントボード１０の模様面に建築用仕上塗材を塗布することで、意匠性のみならず、防水性、耐候性等の建築用外装材に要求される品質を確保することができる。ここで、タイル１２や目地１４からなる模様面を、繊維補強セメントボード１０の成型工程で形成し、形成した模様面に建築用仕上塗材を塗布することによって、タイルをセメントボードに貼り付けたり、これらを一体成型する場合に比して製造工程を単純化できる。
【００３０】
さらに、本実施形態では、手摺壁を、高じん性・高強度の繊維セメントボード１０としたことによって、手摺壁に要求される強度を、薄型で軽量のパネルで確保できるため、バルコニー１やバルコニー１を介して床スラブにかかる荷重を低減することができる。従って、バルコニー１や床スラブに要求される耐力を低減できるので、マンション躯体のコストを低減することができる。特に、本実施形態では、バルコニー１の奥行が広く、手摺壁の荷重によってバルコニー１に生じる曲げモーメントが大きくなるため、その効果は大きくなる。
【００３１】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、繊維補強セメントボード１０の片面に凹凸の模様を形成し、裏面にリブ１６を形成したが、裏面にリブ１６を形成することは必須ではない。また、繊維補強セメントボード１０の表裏両面に凹凸の模様を形成してもよい。
【符号の説明】
【００３２】
１  バルコニー、１０  繊維補強セメントボード、１２  タイル、１４  目地、１６  リブ、１７  上端、１８  下端、２０  支柱、３０  上枠、３０Ｓ  スリット、３２  笠木、３４  樹脂キャップ、４０  下枠、４０Ｓ  スリット、４２  ブラケット、４４  樹脂キャップ、５０  型枠、５１  型、５１Ａ  凸部、５１Ｂ  上端、５１Ｃ  下端、５２  型、５２Ａ  凸部、５２Ｂ  上端、５２Ｃ  下端、５２Ｄ  枠部
【図２】
2014189988.tif 000003
【図３】
2014189988.tif 000004
【図５】
2014189988.tif 000005
【図６】
2014189988.tif 000006
【図７】
2014189988.tif 000007
【図８】
2014189988.tif 000008
【図９】
2014189988.tif 000009
【図１】
2014189988.tif 000010
【図４】
2014189988.tif 000011